【事件の表示】
　特許第３０４６０９９号「キチン又はキトサンの綿状物」の請求項１に係る特許に対する特許異議の申立てについて、次のとおり決定する。
【結　論】
　訂正を認める。
　特許第３０４６０９９号の請求項１に係る特許を維持する。
【理　由】
１．手続の経緯
　本件特許第３０４６０９９号発明は、平成３年６月１９日に特許出願され、平成１２年３月１７日にその特許の設定登録がなされ、その後、正木寛己より特許異議申立がなされ、当審より取消理由通知がなされ、その指定期間内である平成１３年４月２４日に訂正請求（後日取下）がなされた後、取消理由通知がなされ、その指定期間内である平成１３年５月２９日に訂正請求がなされたものである。
　　　
２．訂正の適否についての判断
(ａ)訂正の内容
訂正事項ａ
　特許請求の範囲の請求項１の
「【請求項１】 キチン又はキトサンの繊維又はフィブリルを開繊して得られる綿状集合体からなるキチン又はキトサンの綿状物。」を
「【請求項１】繊維長を２ｃｍ〜５ｃｍにカットしたキチン又はキトサンの繊維をカード機で開繊して得られる綿状集合体を圧迫してシート状マットに成形したことを特徴とするキチン又はキトサンの綿状物。」
と訂正し、
訂正事項ｂ
　特許明細書の【０００１】が
「【産業上の利用分野】
　本発明は、キチン又はキトサンからなる綿状物に関するものである。・・・」とあるのを
「【産業上の利用分野】
　本発明は、シート状マットに成形されたキチン又はキトサンからなる綿状物に関するものである。・・・」と訂正し、
訂正事項ｃ
　特許明細書の【０００７】が
「このような現状の中で、本発明は、深くて広い創傷の治療の為の創傷被覆保護材として好適なキチン又はキトサンの綿状物を提供することを目的としてしている。」とあるのを、
「このような現状の中で、本発明は、深くて広い創傷の治療の為の創傷被覆保護材として好適な、シート状マットに成形されたキチン又はキトサンの綿状物を提供することを目的としてしている。」と訂正し、
訂正事項ｄ
　特許明細書の【０００８】が
「【課題を解決するための手段】
　本発明者は、・・・キチンの繊維又はフィブリルを開繊することにより得られる綿状物が・・・」とあるのを
「【課題を解決するための手段】
　本発明者は、・・・キチンの繊維を開繊することにより得られる綿状集合体を圧迫して成形したシート状マットが・・・」と訂正し、
訂正事項ｅ
　特許明細書の【０００９】が
「すなわち、本発明は、キチン又はキトサンの繊維又はフィブリルを開繊して得られる綿状集合体からなるキチン又はキトサンの綿状物・・・」とあるのを、
「すなわち、本発明は、繊維長を２ｃｍ〜５ｃｍにカットしたキチン又はキトサンの繊維を開繊して得られる綿状集合体を圧迫してシート状マットに成形したことを特徴とするキチン又はキトサンの綿状物・・・」と訂正し、
訂正事項ｆ
　特許明細書の【００１２】が
「　キチンの繊維又はフィブリルとは、・・・好ましくは０.５〜１０デニールである。」とあるのを
「　キチンの繊維とは、・・・好ましくは０.５〜１０デニールである。」と訂正し、
訂正事項ｇ
　特許明細書の【００１３】を削除し、
訂正事項ｈ
　特許明細書の【００１４】が
「　ここで、繊維とは長手方向に断面形状が均一なものを意味し、かつエンドレスに作成されたものであり、一方フィブリルとは、・・・ものを意味する。」とあるのを
「　ここで、繊維とは長手方向に断面形状が均一なものを意味し、かつエンドレスに作成されたものを意味する。」と訂正し、
訂正事項ｉ
　特許明細書の【００１５】が
「　脱アセチル化キチンの繊維又はフィブリルは、これらのキチンの繊維又はフィブリルと・・・よって行うことができる。」とあるのを
「　脱アセチル化キチンの繊維は、これらのキチンの繊維と・・・よって行うことができる。」と訂正し、
訂正事項ｊ
　特許明細書の【００１６】が
「　脱アセチル化度の高いキチン、例えば、キトサンから繊維又はフィブリルを作るには、・・・透明で粘調な溶液ができる。」とあるのを、
「　脱アセチル化度の高いキチン、例えば、キトサンから繊維を作るには、・・・透明で粘調な溶液ができる。」と訂正し、
訂正事項ｋ
　特許明細書の【００１７】が
「・・・本発明に使用する際の個々の繊維又はフィブリルの太さは、やはり０.２〜５０デニール程度で、好ましくは０.５〜１０デニールである。これらの繊維又はフィブリルは、そのまま使用してもよいが、・・・」とあるのを、
「・・・本発明に使用する際の個々の繊維の太さは、やはり０.２〜５０デニール程度で、好ましくは０.５〜１０デニールである。これらの繊維は、そのまま使用してもよいが、・・・」と訂正し、
訂正事項ｌ
　特許明細書の【００１８】が
「　これらのキチン又はキトサンの繊維又はフィブリルからなる綿状物とは、これらの繊維又はフィブリルの綿状集合体のことを意味する。この製造方法は、まず、キチン繊維を短繊維、例えば、１ｍｍ〜５ｃｍ程度の長さに切断し、繊維又はフィブリルの１本ずつを開繊することによって行うことができる。開繊は、例えば、フトン綿を作るカード機等によって多数本の集束物であるキチン繊維を１本ずつ開繊すると、綿状物を作ることができる。この際、綿状物のからみをよくするために、事前に繊維にクリンプをかけてもよい。」とあるのを、
「　これらのキチン又はキトサンの繊維からまず綿状集合体をつくる。この製造方法は、まず、キチン繊維を繊維長２ｃｍ〜５ｃｍの長さに切断し、次いで繊維の１本ずつを開繊することによって行うことができる。開繊は、フトン綿を作るときに用いられるようなカード機によって多数本の集束物であるキチン又はキトサン繊維を１本ずつ開繊すると、綿状集合体を作ることができる。この際、綿状集合体のからみをよくするために、事前に繊維にクリンプをかけてもよい。」と訂正し、
訂正事項ｍ
　特許明細書の【００１９】が
「でき上がった綿状物は、そのまま使用してもよいし、上部から若干圧迫してマット状にしてもよいし、また、接着剤で繊維間を軽く接着させてもよい。これら綿状物を例えば創傷被覆保護材として使用するためには、・・・」とあるのを、
「次に、得られた綿状集合体を圧迫してシート状マットに成形する。その際、接着剤で繊維間を軽く接着させてもよい。このシート状マットに成形した綿状物を例えば創傷被覆保護材として使用するためには、・・・」と訂正し、
訂正事項ｎ　　　　
　特許明細書の【００２１】〜【００２６】を削除し、
訂正事項ｏ
　特許明細書の【００２７】が
「実施例３
　キトサン粉末・・・キトサン綿状物を得た。これを圧迫してシート状マットにした。さらに滅菌んした後に下腿潰瘍の治療に使用した。」とあるのを
「【実施例】
　以下、本発明を実施例によってさらに具体的に説明する。
実施例１
　キトサン粉末・・・キトサン綿状集合体を得た。これを圧迫してシート状マットにした。さらに滅菌した後に下腿潰瘍の治療に使用した。」と訂正し、
訂正事項ｐ
　特許明細書の【００２９】が
「本発明のキチン又はキトサンの綿状物は、吸着材、・・・高い治療効果をあげることができる。」とあるのを、
「【発明の効果】
　本発明のシート状マットに成形したキチン又はキトサンの綿状物は、吸着材、・・・高い治療効果をあげることができる。」と訂正するものである。
　　
(ｂ)訂正の目的の適否、拡張・変更の存否、及び新規事項の追加の有無　　
　上記訂正事項ａは、訂正前の請求項１に記載の「キチン又はキトサンの繊維又はフィブリル」を、「キチン又はキトサンの繊維」に限定し、綿状物を特許明細書に記載されている製造方法及びシート状マットという形態で限定したものである。
　したがって、この訂正は特許明細書に記載した事項の範囲内であって、特許請求の範囲の減縮に該当する。
　訂正事項ｂ〜ｎ及びｐは特許請求の範囲の訂正に伴って発明の詳細な説明の項の記載を整合させるための訂正であるから、明りようでない記載の釈明に該当する。また、訂正事項ｏは、特許請求の範囲の訂正に伴う明細書を整合させるための訂正と誤記であることが明らかな「滅菌んした」を「滅菌した」への訂正であるから、明りようでない記載の釈明及び誤記の訂正に該当する。
　そして、これらは、実質上請求の範囲を拡張し、変更するものではない。
　以上のとおりであるから、上記訂正請求は、特許法第１２０条の４第２項及び同条第３項で準用する第１２６条第２〜３項の規定に適合するので、当該訂正を認める。
　
３．特許異議申立についての判断　
イ、本件特許発明
　本件請求項１に係る発明（以下、本件発明という。）は、訂正された特許明細書の記載からみて、特許請求の範囲に記載されたとおりのものと認められる。
　　　　
ロ、異議申立の概要
　異議申立人は、甲第１号証（キチン、キトサン研究会編「キチン、キトサンの応用」、１９９０年、技報堂出版発行、１１６〜１１９頁）を提出して、本件発明は甲第１号証に記載された発明であり、また、甲第１号証に記載された発明に基づいて当業者が容易に発明をすることができたものであるから、特許法第２９条第１項第３号又は同法第２９条第２項の規定に違反してされたものであるので、特許法第１１３条第１項第２号の規定により取り消されるべきであると主張している。
　　　　　　
ハ、証拠記載の発明  
　甲第１号証には、人工皮膚（ベスキチンＷ）の製造方法として、キチンの微細な繊維を製造し、血清タンパク質の吸収性を高めるための処理を行ったあと、５〜１５ｍｍの長さにカッティングし、さらにこの短繊維を水に分散し、ポバールをバインダーとして積層体とし、加圧・乾燥して不織布を得、所定の大きさに切断し、包装のうえ滅菌を行うこと（１１６〜１１７頁）、ベスキチンＷを構成する綿を、ラットの背部皮膚切開部の筋肉と筋膜の間に挿入し、切開部が破壊するに要する抗張力を調べたこと及びベスキチンＷは形成外科・皮膚科領域において、熱傷（II、III度）、採皮創、植皮創、剥皮術創等の皮膚欠損創の被覆保護剤として使用されており、鎮痛作用、止血効果、表皮形成の点で優れている旨が記載されている。
　　　　
ニ、対比・判断
　甲第１号証には、５〜１５ｍｍの長さにカッティングしたキチン繊維を水に分散し、ポバールをバインダーとして積層体とし、加圧・乾燥した不織布（ベスキチンＷ）が皮膚欠損創の被覆保護剤として用いられていること、及びベスキチンＷを構成する綿が記載されているが、ベスキチンＷを構成する綿の製造方法は記載されてない。そして、ベスキチンＷは繊維長５〜１５ｍｍのキチン繊維を水に分散して製造されるのであるから、ここに記載の綿の繊維長は５〜１５ｍｍのものと認められる。
　本件発明は繊維長２ｃｍ〜５ｃｍにカットしたキチン又はキトサンの繊維をカード機で開繊して得られる綿状集合体を圧迫して形成されるシート状マット形態の綿状物であるが、この綿状物はその製造方法から明らかなように、繊維を水に分散せずに、２〜５ｃｍの繊維をカード機で開繊して得られる綿状集合体を圧迫して製造されるものであるから、不織布（ベスキチンＷ）ともベスキチンＷを構成する綿とも物として全く異なるものである。
　したがって、本件発明は、甲第１号証に記載されたものではない。
　また、甲第１号証には、不織布、及び、キチン綿以外については何等記載はなく、シート状マットを形成することは示唆もされていない。
　ところで、本件発明のシート状マットに形成したキチン又はキトサンの綿状物は、特許明細書に記載されているように、不織布（ベスキチンＷ）は深い傷に対しては必ずしも好ましいものではない（【０００６】）のに対して、深い傷に使用し、高い治療効果をあげる（【００２９】）という顕著な効果を奏するものである。
　したがって、本件発明は、シート状マットを形成するキチン又はキトサンの綿状物であるから、このことが全く記載されていない甲第１号証に記載された発明に基づいて当業者が容易に想到できるものではない。
　　　　
４．むすび
　以上のとおりであるから、本件特許が特許法第２９条第１項第３号又は同法第２９条第２項に違反して特許されたものではない。
　また、本件特許については、他に取消理由を発見しない。
　よって、結論のとおり決定する。
【異議決定日】
平成１３年５月３１日（２００１．５．３１）
【訂正の要旨】
訂正事項ａ
　特許請求の範囲の減縮を目的として、特許請求の範囲の請求項１の
「【請求項１】　キチン又はキトサンの繊維又はフィブリルを開繊して得られる綿状集合体からなるキチン又はキトサンの綿状物。」を
「【請求項１】繊維長を２ｃｍ〜５ｃｍにカットしたキチン又はキトサンの繊維をカード機で開繊して得られる綿状集合体を圧迫してシート状マットに成形したことを特徴とするキチン又はキトサンの綿状物。」
と訂正し、
訂正事項ｂ
　明りようでない記載の釈明を目的として、特許明細書の【０００１】が
「【産業上の利用分野】
　本発明は、キチン又はキトサンからなる綿状物に関するものである。・・・」とあるのを
「【産業上の利用分野】
　本発明は、シート状マットに成形されたキチン又はキトサンからなる綿状物に関するものである。・・・」と訂正し、
訂正事項ｃ
　明りようでない記載の釈明を目的として、特許明細書の【０００７】が
「このような現状の中で、本発明は、深くて広い創傷の治療の為の創傷被覆保護材として好適なキチン又はキトサンの綿状物を提供することを目的としてしている。」とあるのを、
「このような現状の中で、本発明は、深くて広い創傷の治療の為の創傷被覆保護材として好適な、シート状マットに成形されたキチン又はキトサンの綿状物を提供することを目的としてしている。」と訂正し、
訂正事項ｄ
　明りようでない記載の釈明を目的として、特許明細書の【０００８】が
「【課題を解決するための手段】
　本発明者は、・・・キチンの繊維又はフィブリルを開繊することにより得られる綿状物が・・・」とあるのを
「【課題を解決するための手段】
　本発明者は、・・・キチンの繊維を開繊することにより得られる綿状集合体を圧迫して成形したシート状マットが・・・」と訂正し、
訂正事項ｅ
　明りようでない記載の釈明を目的として、特許明細書の【０００９】が
「すなわち、本発明は、キチン又はキトサンの繊維又はフィブリルを開繊して得られる綿状集合体からなるキチン又はキトサンの綿状物・・・」とあるのを、
「すなわち、本発明は、繊維長を２ｃｍ〜５ｃｍにカットしたキチン又はキトサンの繊維を開繊して得られる綿状集合体を圧迫してシート状マットに成形したことを特徴とするキチン又はキトサンの綿状物・・・」と訂正し、
訂正事項ｆ
　明りようでない記載の釈明を目的として、特許明細書の【００１２】が
「　キチンの繊維又はフィブリルとは、・・・好ましくは０．５〜１０デニールである。」とあるのを
「　キチンの繊維とは、・・・好ましくは０．５〜１０デニールである。」と訂正し、
訂正事項ｇ
　明りようでない記載の釈明を目的として、特許明細書の【００１３】を削除し、
訂正事項ｈ
　明りようでない記載の釈明を目的として、特許明細書の【００１４】が
「　ここで、繊維とは長手方向に断面形状が均一なものを意味し、かつエンドレスに作成されたものであり、一方フィブリルとは、・・・ものを意味する。」とあるのを
「　ここで、繊維とは長手方向に断面形状が均一なものを意味し、かつエンドレスに作成されたものを意味する。」と訂正し、
訂正事項ｉ
　明りようでない記載の釈明を目的として、特許明細書の【００１５】が
「　脱アセチル化キチンの繊維又はフィブリルは、これらのキチンの繊維又はフィブリルと・・・よって行うことができる。」とあるのを
「　脱アセチル化キチンの繊維は、これらのキチンの繊維と・・・よって行うことができる。」と訂正し、
訂正事項ｊ
　明りようでない記載の釈明を目的として、特許明細書の【００１６】が
「　脱アセチル化度の高いキチン、例えば、キトサンから繊維又はフィブリルを作るには、・・・透明で粘調な溶液ができる。」とあるのを、
「　脱アセチル化度の高いキチン、例えば、キトサンから繊維を作るには、・・・透明で粘調な溶液ができる。」と訂正し、
訂正事項ｋ
　明りようでない記載の釈明を目的として、特許明細書の【００１７】が
「・・・本発明に使用する際の個々の繊維又はフィブリルの太さは、やはり０．２〜５０デニール程度で、好ましくは０．５〜１０デニールである。これらの繊維又はフィブリルは、そのまま使用してもよいが、・・・」とあるのを、
「・・・本発明に使用する際の個々の繊維の太さは、やはり０．２〜５０デニール程度で、好ましくは０．５〜１０デニールである。これらの繊維は、そのまま使用してもよいが、・・・」と訂正し、
訂正事項ｌ
　明りようでない記載の釈明を目的として、特許明細書の【００１８】が
「　これらのキチン又はキトサンの繊維又はフィブリルからなる綿状物とは、これらの繊維又はフィブリルの綿状集合体のことを意味する。この製造方法は、まず、キチン繊維を短繊維、例えば、１ｍｍ〜５ｃｍ程度の長さに切断し、繊維又はフィブリルの１本ずつを開繊することによって行うことができる。開繊は、例えば、フトン綿を作るカード機等によって多数本の集束物であるキチン繊維を１本ずつ開繊すると、綿状物を作ることができる。この際、綿状物のからみをよくするために、事前に繊維にクリンプをかけてもよい。」とあるのを、
「　これらのキチン又はキトサンの繊維からまず綿状集合体をつくる。この製造方法は、まず、キチン繊維を繊維長２ｃｍ〜５ｃｍの長さに切断し、次いで繊維の１本ずつを開繊することによって行うことができる。開繊は、フトン綿を作るときに用いられるようなカード機によって多数本の集束物であるキチン又はキトサン繊維を１本ずつ開繊すると、綿状集合体を作ることができる。この際、綿状集合体のからみをよくするために、事前に繊維にクリンプをかけてもよい。」と訂正し、
訂正事項ｍ
明りようでない記載の釈明を目的として、特許明細書の【００１９】が
「でき上がった綿状物は、そのまま使用してもよいし、上部から若干圧迫してマット状にしてもよいし、また、接着剤で繊維間を軽く接着させてもよい。これら綿状物を例えば創傷被覆保護材として使用するためには、・・・」とあるのを、
「次に、得られた綿状集合体を圧迫してシート状マットに成形する。その際、接着剤で繊維間を軽く接着させてもよい。このシート状マットに成形した綿状物を例えば創傷被覆保護材として使用するためには、・・・」と訂正し、
訂正事項ｎ
　明りようでない記載の釈明を目的として、特許明細書の【００２１】〜【００２６】を削除し、
訂正事項ｏ
　明りょうでない記載の釈明及び誤記の訂正を目的として、特許明細書の【００２７】が
「実施例３
　キトサン粉末・・・キトサン綿状物を得た。これを圧迫してシート状マットにした。さらに滅菌んした後に下腿潰瘍の治療に使用した。」とあるのを
「【実施例】
　以下、本発明を実施例によってさらに具体的に説明する。
実施例１
　キトサン粉末・・・キトサン綿状集合体を得た。これを圧迫してシート状マットにした。さらに滅菌した後に下腿潰瘍の治療に使用した。」と訂正し、
訂正事項ｐ
　明りようでない記載の釈明を目的として、特許明細書の【００２９】が
「本発明のキチン又はキトサンの綿状物は、吸着材、・・・高い治療効果をあげることができる。」とあるのを、
「【発明の効果】
　本発明のシート状マットに成形したキチン又はキトサンの綿状物は、吸着材、・・・高い治療効果をあげることができる。」と訂正するものである。
（５４）【発明の名称】
キチン又はキトサンの綿状物
（５７）【特許請求の範囲】
　【請求項１】　
繊維長を２ｃｍ〜５ｃｍにカットした
カード機
を圧迫してシート状マットに成形したことを特徴とする
【発明の詳細な説明】
　【０００１】
　【産業上の利用分野】
　本発明は、
シート状マットに成形された
　【０００２】
　【従来の技術】
　アミノ多糖類であるキチンは、セルロースに類似した化学構造を有しているにもかかわらず、セルロースとは異なった興味ある多くの特徴を有している。例えば金属、タンパク質等に対し良好な吸着性がある。又生体の創傷に使用すると、治癒を促進する効果も認められている。このような効果を有効に引き出す形として、従来から繊維やフィブリルの形が提案されており、その不織布としての利用は、例えば特開昭６１−２４０９６３号公報に記載のものがある。しかし、これらは特定の目的に対しては有効であるが、他の目的にたいしては必ずしも十分なものではない。例えば創傷の治療に対しても問題があった。
　【０００３】
　一般的な創傷治療の技術は、近年進歩が著しく、熱傷や外傷、植皮片をとった後の採皮創等の比較的浅い傷に対しての治療が進んでおり、これらを治療する創傷被覆保護材として多くの商品が使用されている。これらの主な分類としては、合成高分子からなる合成材料と天然高分子からなる生体材料とに分類することができる。合成材料には、ポリウレタンフイルム（商品名：オプサイト、バイオクルーシブ）、ポリウレタンスポンジ（商品名：デユオアクテイブ）、ポリペプチドをコーテイングしたナイロンファブリツク（商品名：バイオブレン）等があり、生体材料としては、凍結乾燥豚皮（商品名：アロアスク）、コラーゲン繊維シート（商品名：メイパック）、キチン繊維シート（商品名：ベスキチンＷ）等がある。
　【０００４】
　これらは、いずれも浅い傷を治療するものであるが、深い創傷、例えば、挫滅傷、褥瘡、下腿潰瘍等の場合は、皮膚は勿論のこと、肉芽も大幅な欠損を起こすので、深い立体的な傷となり、滲出液が多く、感染も起こりやすいので、上記のような創傷被覆保護材では治療しにくいのが実情である。例えば、合成材料のものを使用すると、これらには創からの滲出液を除去する作用がないので、滲出液が患部に貯溜し、治療がますます遅れることになる。また、生体材料の場合は、滲出液の除去は比較的十分であるが、いずれも厚みの薄いシート状であるので、立体的な創面に十分密着しなかったり、溶出液によって融解することが多く、十分な保護効果を期待できないのが実情である。従って、これら深い傷に対する現在の治療法としては、局方のガーゼに抗菌剤を含んだ軟膏を塗布したものや、ヨードを含んだポリビニルピロリドン液を塗布したもので保護する等のように、滲出液の除去と殺菌のみを目的とした治療が行われている。
　【０００５】
　【発明が解決しようとする課題】
　このような治療では、早い時期の肉芽生成や表皮形成は期待できるものではない。創傷治療の目的は、創部をできるだけ早く治癒状態にもっていくことである。そのためには、創傷被覆保護材としての役割は、創面に十分に密着して保護でき、滲出液を十分に吸収するとともに創外に排除することができ、肉芽生成や表皮形成を促進することができ、また、治療途中に容易に交換できるものであることが好ましい。
　【０００６】
　すでに販売されているキチン不織布からなるシートである「ベスキチンＷ（ユニチカ社製）は、多くの創傷の保護に好ましく使用され、好評である。特に肉芽生成や表皮形成が良好であることを特徴とする。しかし、この材料も、深い傷に対しては使用上必ずしも好ましいものとはいえない。
　【０００７】
　このような現状の中で、本発明は、深くて広い創傷の治療の為の創傷被覆保護材として好適な、
シート状マットに成形された
　【０００８】
　【課題を解決するための手段】
　本発明者は、上記の目的を達成するため鋭意研究を重ねた結果、キチンの繊維を開繊することにより得られる綿状
集合体を圧迫して成形したシート状マット
　【０００９】
　すなわち、本発明は、
繊維長を２ｃｍ〜５ｃｍにカットした
カード機で
を圧迫してシート状マットに成形したことを特徴とする
　【００１０】
　以下、本発明を詳細に説明する。
　キチンとは、甲殻類、昆虫類等の外骨格を塩酸処理並びに苛性ソーダ処理して灰分および蛋白物質を除去して得られるポリ（Ｎ−アセチル−Ｄ−グルコサミン）またはこのポリ（Ｎ−アセチル−Ｄ−グルコサミン）を濃アルカリで処理して得られる脱アセチル化物（脱アセチル化度で数％から１００％までの値のものがある）であり、これらのうち、脱アセチル化度が高く、酸に溶解するものを特にキトサンと呼んでいる。
　【００１１】
　本発明で用いられるのは、このようなキチン又はキトサンである。
　【００１２】
　キチンの繊維とは、これらキチンを溶剤に溶かして溶液とし、繊維としたものを意味する。
　キチンの溶液を作るには、基本的には２つの方法がある。その１つは、脱アセチル化度の低いキチンの場合であり、これらの溶媒としては、ジメチルアセトアミド又はＮ−メチルピロリドンと塩化リチウムとの混合液、トリクロル酢酸とハロゲン化炭化水素との混合液等がある。キチンは、粉末の形でこれらの溶媒に２〜１０重量％程度溶解させると、粘調で透明な溶液を作ることができる。
　これらから繊維を作るには、例えば、加圧タンクからギアーポンプ等で計量送液し、フィルターを含んだノズル、例えば、０．０７ｍｍφ程度の微細な孔から、凝固液である水又はアルコール等の液中に押出し、凝固した後、定速で引取る方法がある。できた繊維は、十分に溶剤、凝固液等の不純物を除去する。本発明に使用する場合の個々に繊維の太さは、０．２〜５０デニール程度で、好ましくは０．５〜１０デニールである。
　【００１４】
　ここで、繊維とは長手方向に断面形状が均一なものを意味し、かつエンドレスに作成されたものを意味する。
　【００１５】
　脱アセチル化キチンの繊維は、これらのキチンの繊維と濃い苛性ソーダ水溶液、例えば、１０〜３０重量％の濃度、８０℃以上の温度で処理することによって作成することができる。脱アセチル化度の調整は、苛性ソーダの濃度、温度、処理時間を調整することによって行うことができる。
　【００１６】
　脱アセチル化度の高いキチン、例えば、キトサンから繊維を作るには、溶剤としては、例えば、酢酸の水溶液を使用することができる。例えば、酢酸を０．１〜５重量％程度含む水溶液にキトサン０．５〜１０重量％を溶解させると、透明で粘調な溶液ができる。
　【００１７】
　これをキチン溶液の場合と同じように加圧タンクに入れ、ギアーポンプで計量し、微細なノズルから吐出させる。凝固液としては、単なる水、アルコール又はアルカリ水溶液、アルカリを含んだアルコール液等を使用することができる。凝固した繊維を定速で引取り、さらに、十分に洗浄して溶剤、凝固液等の不純物を除去すると、キトサン繊維を得ることができる。本発明に使用する際の個々の繊維の太さは、やはり０．２〜５０デニール程度で、好ましくは０．５〜１０デニールである。
　これらの繊維は、そのまま使用してもよいが、無水酢酸を含んだアルコール中で処理して、若干のアミノ基のアセチル化を進めてもよい。
　【００１８】
　これらのキチン又はキトサンの繊維から
まず綿状集合体をつくる
又はキトサン
繊維長２ｃｍ〜５ｃｍの
次いで
ときに用いられるような
又はキトサン
集合体
集合体
　【００１９】
　
次に、得られた綿状集合体を圧迫してシート状マットに成形する。その際
このシート状マットに成形した
　【００２０】
　このようにして得られた本発明の綿状物は、挫滅傷、褥瘡、下腿潰瘍等の深い傷の治療に使用すると、溶出液の排除効果に優れ、密着性がよく、肉芽生成、表皮形成に優れているので、良好な治療効果をあげることができるものである。
　【００２７】
　
【実施例】
　
以下、本発明を実施例によってさらに具体的に説明する。
実施例
１
　キトサン粉末（新日本化学製、２％酢酸水溶液に０．２％溶解した溶液粘度が２５０センチポイズ：Ｂ型回転粘度系１０００ｒｐｍ）を３％酢酸水溶液に３重量％溶かし、粘調で透明な溶液を得た。その溶液を１４８０メッシュステンレスネットで濾過した後、加圧タンクに入れ、ギアーポンプにて計量送液した。さらに、０．０７ｍｍφの微細なノズルから０．５％の苛性ソーダを含んだ水溶液中に吐出して凝固した後、８ｍ／ｍｉｎの速度で捲取った。得られた繊維を十分に洗浄すると、単糸デニール約１．５デニールのキトサン繊維が得られた。この繊維を２０ｍｍの長さに切断した後、開繊カード機にてキトサン綿状
集合体
　【００２８】
　患者は６８才の女性で、下腿部に静脈血行不良のため潰瘍が発生したものであった。受傷後、約２ヶ月間抗生物質の入った軟膏での治療が続けられていたが、まったく改善のきざしがみえなかった。治療は、まず、患部をポビドンヨード液で十分に洗浄した後、キトサン綿状物マットを軽く圧迫してあて、上層にガーゼをあてて粘着テープで固定した。キトサン綿状物マットの交換は、３日毎に行った。交換時には、ガーゼ側に多量の滲出液の付着があった。
　１２日日頃から良質な肉芽が生成しはじめ、２７日目で表皮形成が終了し、完治した。
　【００２９】
　
【発明の効果】
　本発明の
シート状マットに成形した